(57)【特許請求の範囲】
【請求項１】
無線通信ネットワークに接続される携帯端末を接続して当該携帯端末の制御を行う車載機器において、
前記携帯端末の接続の開始を検出する接続検出手段と、
前記接続検出手段により前記携帯端末の接続の開始が検出された場合に、当該携帯端末に記憶されている電話帳情報、またはメールアドレス情報を含むメモリ情報を取得して記憶するメモリ情報記憶手段と、
前記接続検出手段により前記携帯端末の接続の開始が検出された場合に、当該携帯端末から識別情報を取得する第１の識別情報取得手段と、
前記メモリ情報記憶手段に記憶されている識別情報を取得する第２の識別情報取得手段と、を備え、
前記メモリ情報記憶手段は、前記第１の識別情報取得手段、及び前記第２の識別情報取得手段により取得された識別情報を比較して、当該識別情報が異なる場合に、前記携帯端末に記憶されているメモリ情報を取得して記憶することを特徴とする車載機器。
【請求項２】
前記識別情報は、前記携帯端末の機種名、携帯端末番号のうち少なくとも１つを含むことを特徴とする請求項１記載の車載機器。
【請求項３】
前記接続検出手段は、前記携帯端末の接続の解除を検出する接続解除検出手段をさらに備え、
前記メモリ情報記憶手段がメモリ情報を記憶している際に前記接続解除検出手段により前記携帯端末の接続の解除が検出された場合に、前記メモリ情報記憶手段は、記憶したメモリ情報を消去することを特徴とする請求項１記載の車載機器。
【請求項４】
無線通信ネットワークに接続される携帯端末を接続して当該携帯端末の制御を行う車載機器の携帯端末接続方法において、
前記車載機器に、
前記携帯端末の接続の開始を検出する接続検出工程と、
前記接続検出工程にて前記携帯端末の接続の開始が検出された場合に、当該携帯端末に記憶されている電話帳情報、またはメールアドレス情報を含むメモリ情報を取得して記憶するメモリ情報記憶工程と、
前記接続検出工程にて前記携帯端末の接続の開始が検出された場合に、当該携帯端末から識別情報を取得する第１の識別情報取得工程と、
前記メモリ情報記憶工程で記憶されている識別情報を取得する第２の識別情報取得工程と、を行わせ、
前記メモリ情報記憶工程では、前記第１の識別情報取得工程、及び前記第２の識別情報取得工程にて取得された識別情報を比較して、当該識別情報が異なる場合に、前記携帯端末に記憶されているメモリ情報を取得して記憶させることを特徴とする携帯端末接続方法。
【発明の詳細な説明】
【０００１】
【発明の属する技術分野】
本発明は、車載機器に携帯端末を接続して、車載機器を介して携帯端末を制御する車載機器、及び携帯端末接続方法に関する。
【０００２】
【従来の技術】
従来、車両に搭載されて使用される車載機器、例えば、ナビゲーション装置等において、携帯電話やＰＨＳ（Personal Handyphone System）といった携帯型の電話端末や、ＰＤＡ（Personal Digital Assistants）と呼ばれる携帯情報端末を接続させ、ナビゲーション装置上でこれら携帯端末の通話やメールの送受信に係わる一連の操作を行うナビゲーション装置が普及している。
【０００３】
このようなナビゲーション装置においては、携帯端末をインターフェイスを介してナビゲーション装置に接続し、ユーザは、あらかじめ携帯端末に記憶されている電話帳情報やメールアドレス情報等のメモリ情報を、手動でナビゲーション装置の記録媒体に記憶させる必要がある。以下、従来のナビゲーション装置に、携帯端末の電話帳情報やメールアドレス情報等のメモリ情報を記憶させる処理について説明する。
【０００４】
図４は、従来のナビゲーション装置において、ユーザの操作により、携帯端末の電話帳情報やメールアドレス情報等のメモリ情報をナビゲーション装置に記憶させるダウンロード処理を示すフローチャートである。
ナビゲーション装置は、携帯端末の接続が開始されると（ステップＳ３１）、ユーザにより指示が入力されるのを待機する（ステップＳ３２）。ユーザから、ナビゲーション装置の入力部を介して、例えば、メモリ消去や、ダウンロード開始等の項目を指定する指示が入力されると（ステップＳ３３；ＹＥＳ）、指定された項目を取得する（ステップＳ３４）。そして、まず、取得した項目がメモリ情報消去指示であるか否かを判断する。
【０００５】
取得した項目がメモリ情報消去指示であった場合（ステップＳ３５；ＹＥＳ）、ナビゲーション装置は、記録媒体に記憶されたメモリ情報を消去する（ステップＳ３６）。取得した項目がメモリ情報消去指示でない場合（ステップＳ３３；ＮＯ）、取得した項目がダウンロード開始指示であるか否かを判断する。
【０００６】
取得した項目がダウンロード開始指示でない場合（ステップＳ３７；ＮＯ）、他の処理に移行し（ステップＳ４３）、取得した項目がダウンロード開始指示である場合（ステップＳ３７；ＹＥＳ）、携帯端末の記憶部からメモリ情報のダウンロードを開始する（ステップＳ３８）。ここで、ダウンロードとは、携帯端末の記憶部に記憶されているメモリ情報を、一度ナビゲーション装置のＲＡＭに展開し、展開したメモリ情報をナビゲーション装置の記録媒体に格納することである。
【０００７】
次いで、ナビゲーション装置は、携帯端末との接続が解除されていないか否かの判断を行い、接続が解除されていない場合は（ステップＳ３９；ＹＥＳ）、ダウンロードが終了したか否かを判断する。ダウンロードが終了していない場合は（ステップＳ４０；ＮＯ）、そのままダウンロードを続行し、ダウンロードが終了した場合は（ステップＳ４０；ＹＥＳ）、本ダウンロード処理を終了する。
【０００８】
一方、携帯端末の接続が解除された場合（ステップＳ３９；ＮＯ）、ナビゲーション装置は、ダウンロードが終了したか否かを判断して、ダウンロードが終了している場合は（ステップＳ４１；ＹＥＳ）、記録媒体に記憶したメモリ情報を保持したまま、本ダウンロード処理を終了する。ダウンロードが終了していない場合は（ステップＳ４１；ＮＯ）、ナビゲーション装置の記録媒体に記憶したメモリ情報を消去して（ステップＳ４２）、本ダウンロード処理を終了する。
【０００９】
以上のダウンロード処理を実行することにより、例えば、ナビゲーション装置は、携帯端末が着信すると、着信相手が携帯端末から取得したメモリ情報に該当するか否かを判断して、着信相手がメモリ情報に該当する場合に、着信相手の氏名や電話番号を表示画面上に表示し、ユーザの指示により応答を行う。これにより、ユーザは、ナビゲーション装置に付属されているスピーカ、及びマイクを利用してハンズフリー通話を行うことができる。
【００１０】
【発明が解決しようとする課題】
しかしながら、このような従来のナビゲーション装置にあっては、接続した携帯端末からデータを取得して記憶させるためには、煩雑なキー操作が必要であり、ユーザは、非常に手間及び時間がかかり面倒であった。このため、ユーザが車両に乗り込んでから出発するまでに必要以上に時間がかかったり、携帯端末からナビゲーション装置にメモリ情報を記憶させる操作を忘れ、携帯端末に着信があっても着信相手がナビゲーション装置の画面上に表示されないという問題があった。
【００１１】
本発明の課題は、車載機器に接続した携帯端末から容易にデータを取得して記憶する車載機器、及び携帯端末接続方法を提供することである。
【００１２】
【課題を解決するための手段】
請求項１記載の発明は、
無線通信ネットワークに接続される携帯端末（例えば、図１に示す携帯端末２０）を接続して当該携帯端末の制御を行う車載機器（例えば、図１に示すナビゲーション装置１）において、
前記携帯端末の接続の開始を検出する接続検出手段と（例えば、図３のステップＳ１２、ステップＳ１８に示す処理を行うＣＰＵ１０）、
前記接続検出手段により前記携帯端末の接続の開始が検出された場合に、当該携帯端末に記憶されている電話帳情報、またはメールアドレス情報を含むメモリ情報を取得して記憶するメモリ情報記憶手段（例えば、図１に示す記憶装置１７）と、
前記接続検出手段により前記携帯端末の接続の開始が検出された場合に、当該携帯端末から識別情報を取得する第１の識別情報取得手段（例えば、図３のステップＳ１３に示す処理を行うＣＰＵ１０）と、
前記メモリ情報記憶手段に記憶されている識別情報を取得する第２の識別情報取得手段（例えば、図３のステップＳ１４に示す処理を行うＣＰＵ１０）と、を備え、
前記メモリ情報記憶手段は、前記第１の識別情報取得手段、及び前記第２の識別情報取得手段により取得された識別情報を比較して、当該識別情報が異なる場合に、前記携帯端末に記憶されているメモリ情報を取得して記憶することを特徴としている。
【００１３】
この請求項１記載の発明によれば、無線通信ネットワークに接続される携帯端末を接続して携帯端末の制御を行う車載機器において、接続検出手段により、携帯端末の接続の開始を検出し、メモリ情報記憶手段により、接続検出手段により携帯端末の接続の開始が検出された場合に、携帯端末に記憶されている電話帳情報、またはメールアドレス情報を含むメモリ情報を取得して記憶するため、ユーザは、車載機器に携帯端末を接続するだけで、携帯端末に記憶されているメモリ情報を自動的に車載機器に記憶させることができる。したがって、メモリ情報を車載機器に記憶させるための煩雑な操作をなくし、ユーザの手間及び時間を省くことができる。
【００１５】
また、第１の識別情報取得手段により、接続検出手段により携帯端末の接続の開始が検出された場合に、携帯端末から識別情報を取得し、第２の識別情報取得手段により、メモリ情報記憶手段に記憶されている識別情報を取得し、メモリ情報記憶手段は、第１の識別情報取得手段、及び第２の識別情報取得手段により取得された識別情報を比較して、識別情報が異なる場合に、携帯端末に記憶されているメモリ情報を取得して記憶するため、同じ携帯端末のメモリ情報がすでに車載機器に記憶されている場合は、メモリ情報の取得を行わないので、同じ携帯端末のメモリ情報を再度記憶する等の不必要な処理を行うことがなく、車載バッテリーを節約できる。
【００１６】
請求項２記載の発明は、請求項１記載の発明において、
前記識別情報は、前記携帯端末の機種名、携帯端末番号のうち少なくとも１つを含むことを特徴としている。
【００１７】
この請求項２記載の発明によれば、識別情報は、携帯端末の機種名、携帯端末番号のうち少なくとも１つを含むため、車載機器に接続された携帯端末と、メモリ情報記憶手段にメモリ情報が記憶された携帯端末とを識別する際に、容易に携帯端末の識別が行うことができる。
【００１８】
請求項３記載の発明は、請求項１記載の発明において、
前記接続検出手段は、前記携帯端末の接続の解除を検出する接続解除検出手段をさらに備え、
前記メモリ情報記憶手段がメモリ情報を記憶している際に前記接続解除検出手段により前記携帯端末の接続の解除が検出された場合に、メモリ情報記憶手段は、記憶した当該メモリ情報を消去することを特徴としている。
【００１９】
請求項３記載の発明によれば、接続検出手段は、携帯端末の接続の解除を検出する接続解除検出手段をさらに備え、メモリ情報記憶手段がメモリ情報を記憶している際に接続解除検出手段により携帯端末の接続の解除が検出された場合に、メモリ情報記憶手段は、記憶した当該メモリ情報を消去するため、記憶途中のメモリ情報をそのまま保持することなく、メモリ情報記憶手段の記憶容量を節約できる。
請求項４記載の発明は、
無線通信ネットワークに接続される携帯端末（例えば、図１に示す携帯端末２０）を接続して当該携帯端末の制御を行う車載機器（例えば、図１に示すナビゲーション装置１）の携帯端末接続方法において、
前記車載機器に、
前記携帯端末の接続の開始を検出する接続検出工程（例えば、図３のステップＳ１２、ステップＳ１９）と、
前記接続検出工程にて前記携帯端末の接続の開始が検出された場合に、当該携帯端末に記憶されている電話帳情報、またはメールアドレス情報を含むメモリ情報を取得して記憶するメモリ情報記憶工程（例えば、図３のステップＳ１８）と、
前記接続検出工程にて前記携帯端末の接続の開始が検出された場合に、当該携帯端末から識別情報を取得する第１の識別情報取得工程（例えば、図３のステップＳ１４）と、
前記メモリ情報記憶工程で記憶されている識別情報を取得する第２の識別情報取得工程（例えば、図３のステップＳ１５）と、を行わせ、
前記メモリ情報記憶工程では、前記第１の識別情報取得工程、及び前記第２の識別情報取得工程にて取得された識別情報を比較して、当該識別情報が異なる場合に、前記携帯端末に記憶されているメモリ情報を取得して記憶させることを特徴としている。
この請求項４記載の発明によれば、無線通信ネットワークに接続される携帯端末を接続して携帯端末の制御を行う車載機器において、接続検出工程により、携帯端末の接続の開始を検出し、メモリ情報記憶工程により、接続検出工程により携帯端末の接続の開始が検出された場合に、携帯端末に記憶されている電話帳情報、またはメールアドレス情報を含むメモリ情報が取得されて記憶されるため、ユーザは、車載機器に携帯端末を接続するだけで、携帯端末に記憶されているメモリ情報を自動的に車載機器に記憶させることができる。したがって、メモリ情報を車載機器に記憶させるための煩雑な操作をなくし、ユーザの手間及び時間を省くことができる。
また、第１の識別情報取得工程により、接続検出工程により携帯端末の接続の開始が検出された場合に、携帯端末から識別情報を取得し、第２の識別情報取得工程により、メモリ情報記憶工程で記憶されている識別情報を取得し、メモリ情報記憶工程では、第１の識別情報取得工程、及び第２の識別情報取得工程にて取得された識別情報を比較して、識別情報が異なる場合に、携帯端末に記憶されているメモリ情報を取得して記憶するため、同じ携帯端末のメモリ情報がすでに車載機器に記憶されている場合は、メモリ情報の取得を行わないので、同じ携帯端末のメモリ情報を再度記憶する等の不必要な処理を行うことがなく、車載バッテリーを節約できる。
【００２０】
【発明の実施の形態】
以下、図を参照して本発明の実施の形態を詳細に説明する。
図１〜図３は、本発明を適用した車載機器の一実施の形態を示す図である。
以下、本発明を説明する上で特徴的な車載機器をナビゲーション装置である場合を例として説明を行う。
【００２１】
まず、構成を説明する。
図１は、本実施の形態におけるナビゲーション装置１の要部構成を示すブロック図である。この図１において、ナビゲーション装置１は、ＣＰＵ１０、ＧＰＳアンテナ１１、自律航法ユニット１２、音声制御部１３、接続状態メモリ１４ａを備えるメモリ１４、入力部１５、表示部１６、記憶装置１７、Ｉ／Ｆ部１８に接続される携帯端末２０等を備えて構成され、携帯端末２０を除く各部はバスにより接続されている。
【００２２】
ＣＰＵ１０は、記憶装置１７に記憶されている各種システムプログラムを読み出して実行し、ナビゲーション装置１の各部を駆動制御する。また、ＧＰＳアンテナ１１、自律航法ユニット１２、音声制御部１３、入力部１５、Ｉ／Ｆ部１８等から入力される情報に従って、記憶装置１７に記憶されたナビゲーション用の各種アプリケーションプログラム、または携帯端末制御プログラムに係るプログラムを読み出して、現在位置検出処理、経路探索処理、自動ダウンロード処理等の各種処理を実行する。そして、各種処理結果を表示部１６に表示させる。
【００２３】
具体的には、ＣＰＵ１０は、記憶装置１７に記憶されている自動ダウンロード処理プログラムに基づいて、後述する自動ダウンロード処理（図３参照）を実行する。
【００２４】
この自動ダウンロード処理において、ＣＰＵ１０は、後述するＩ／Ｆ部１８から携帯端末２０が接続されたことを示す信号を受信すると、携帯端末２０の接続の開始を検出する。また、ＣＰＵ１０は、自動ダウンロードの設定がオンになっているか否かの判断を行う。ここで、自動ダウンロードの設定とは、あらかじめユーザがナビゲーション装置において、自動でダウンロードを行うか否かを設定するものである。自動ダウンロードの設定がオフの場合は、ＣＰＵ１０は、自動ダウンロード処理を行わずにユーザの手動操作による指示を待機する。
【００２５】
一方、自動ダウンロードの設定がオンの場合、ＣＰＵ１０は、携帯端末２０の機種名や携帯端末番号を示す識別情報を取得する。次いで、ＣＰＵ１０は、後述する記憶装置１７に記憶されたメモリ情報ファイル１７１を読み出して、すでに記憶されているメモリ情報を取得する。ここで、メモリ情報とは、携帯端末の機種名、携帯端末番号、及び携帯端末から取得される電話帳情報やメールアドレス情報が氏名と併せて記憶される情報である。
【００２６】
ＣＰＵ１０は、メモリ情報ファイル１７１から取得したメモリ情報の中から識別情報として、機種名、携帯端末番号を取得し、接続された携帯端末２０から取得した識別情報と比較することにより、接続された携帯端末２０と、記憶装置１７に記憶されるメモリ情報の携帯端末が同一のものであるか否かを判断する。そして、接続された携帯端末２０が、メモリ情報ファイル１７１にメモリ情報が記憶されている携帯端末と同一の場合、ＣＰＵ１０はメモリ情報のダウンロードを実行しない。
【００２７】
また、接続された携帯端末２０が、メモリ情報ファイル１７１にメモリ情報が記憶されている携帯端末と異なる場合、ＣＰＵ１０は、携帯端末２０の記憶部に記憶されているメモリ情報のダウンロードを実行する。なお、ＣＰＵ１０は、メモリ情報ファイル１７１にメモリ情報が記憶されていない場合も、携帯端末２０のメモリ情報のダウンロードを実行する。
【００２８】
さらに、ＣＰＵ１０は、ダウンロードを行っている携帯端末２０の接続が解除されていないか否かを判断するため、接続状態を確認する制御信号を一定時間毎にＩ／Ｆ部１８に出力するとともに、携帯端末２０が接続されている場合にＩ／Ｆ部１８から入力される応答信号を受信して、携帯端末２０の接続の有無の確認を行う。また、ＣＰＵ１０は、Ｉ／Ｆ部１８から入力される応答信号の有無を携帯端末２０の接続の有無を示すデータとして、後述するメモリ１４内の接続状態メモリ１４ａに機種名、携帯端末番号とともに出力する。なお、接続状態メモリ１４ａはこれらのデータを携帯端末２０の接続履歴データとして記憶する。
【００２９】
したがって、ＣＰＵ１０は、Ｉ／Ｆ部１８から入力される応答信号と、接続状態メモリ１４ａに記憶される接続履歴データに従って、携帯端末２０の接続が解除されたか否かの判断を行うことができる。なお、接続状態の確認方法は、上記方法に限らず、例えば、携帯端末の接続状態を確認する専用のポートを備え、当該ポートの状態を常に監視することで、接続状態の確認を瞬時に行うことができる。その他、設計の仕様等により様々な方法で携帯端末の接続状態を確認することが可能であることは勿論である。
【００３０】
そして、ＣＰＵ１０は、ダウンロードを行っている最中に携帯端末２０の接続の解除が検出された場合、ＣＰＵ１０は、メモリ情報ファイル１７１にすでに記憶された一部のメモリ情報を消去する。
【００３１】
ＧＰＳアンテナ１１は、地球低軌道に打ち上げられた複数のＧＰＳ衛星から送信されるＧＰＳ信号を受信する。このＧＰＳアンテナは、少なくとも３個のＧＰＳ衛星から送信されるＧＰＳ信号を受信し、受信したＧＰＳ信号をＣＰＵ１０に出力する。そして、このＧＰＳ信号に基づいて車両の絶対的な現在位置（緯度、経度）が検出される。
【００３２】
自律航法ユニット１２は、角度センサ、距離センサ等を備えて構成される。角度センサは、車の角速度（単位時間あたりの水平方向への回転角度）を検出して、移動方位の変化量を算出する。距離センサは、車輪の回転に応じて出力されるパルス信号を検出して、車両の移動量を算出する。自律航法ユニット１２は、これら角速度信号及び車速パルス信号により、車両の相対的な位置変化を算出してＣＰＵ１０に出力する。
【００３３】
音声制御部１３は、図示しないマイクやスピーカ等を備え、マイクから入力される音声を受信して、受信したアナログ音声データをデジタル音声データに変換して、ＣＰＵ１０に出力する。また、ＣＰＵ１０から入力されるデジタル音声データをアナログ音声データに変換して、スピーカから出力させる。
【００３４】
メモリ１４はＲＡＭ、ＲＯＭ等から構成され、ＣＰＵ１０によって実行される各種プログラムやこれら各種プログラムにかかるデータ等を一時的に記憶するワークエリアを形成する。例えば、ＣＰＵ１０によって実行される自動ダウンロード処理において、携帯端末２０から取得されるメモリ情報をＲＡＭ内のワークエリアに展開する。
【００３５】
また、メモリ１４は、携帯端末２０の接続履歴を記憶するための接続状態メモリ１４ａを備える。この接続状態メモリ１４ａには、ＣＰＵ１０から一定時間毎に出力される携帯端末２０の接続の有無を示すデータ、及び接続される携帯端末２０の機種名、及び携帯端末番号のデータを接続履歴データとして記憶する。
【００３６】
入力部１５は、文字キー、数字キー、検索キーの他、ナビゲーション利用等の各種機能に対応付けられた各種キーを備え、操作されたキーに対する操作信号をＣＰＵ１０に出力する。また、入力部１５は、タッチパネル等のポインティングデバイス、リモコン等の入力装置を備える構成、あるいは、音声入力が可能な構成としてもよい。
【００３７】
表示部１６は、カラー液晶ディスプレイ等により構成され、ＣＰＵ１０からの表示指示に従って、入力部１５による入力内容、ＣＰＵ１０から入力されるナビゲーション用の表示情報、携帯端末２０に着信した着信相手の氏名等の文字データを表示する。
【００３８】
記憶装置１７は、プログラムやデータ等があらかじめ記憶されている記録媒体（図示せず）を備え、この記録媒体内に、ＣＰＵ１０により実行されるナビゲーション装置１の各種アプリケーション、及びこれらのプログラムに係るデータ等を記憶する。例えば、記録媒体には、上記処理を行うための現在位置検出処理、経路探索処理、自動ダウンロード処理等の各種プログラムや、過去に検索を行った経路、ナビゲーション装置１の動作に関する各種設定内容が記録された設定データが記憶される。また、この記録媒体内には、携帯端末２０からダウンロードされるメモリ情報を記憶するためのメモリ情報ファイル１７１が格納される。
【００３９】
図２は、記憶装置１７内の記録媒体に格納されるメモリ情報ファイル１７１の構成例を示す図である。図２に示すように、メモリ情報ファイル１７１には、メモリ情報として、携帯端末の機種を示す「機種名」、無線通信システムに対応して携帯端末毎に割り当てられる「携帯端末番号」、携帯端末２０の記憶部に記憶される電話帳情報、またはメールアドレス情報に含まれる個人の「氏名」、氏名に対応する「電話番号」、そして、氏名に対応する「メールアドレス」の各データが記憶される。
【００４０】
例えば、メモリ情報ファイル１７１の最上位のレコードに記憶されるメモリ情報を例に挙げて説明すると、機種名には、「Ａ００１」の文字データ、及び数字データが記憶され、携帯端末番号には、「０９０−１２３４−５６７８」の数字データが記憶される。氏名には、「田中○○」の文字データが記憶され、電話番号には、「０３−１２３４−５６７８」の数字データが記憶される。そして、メールアドレスには、「tanaka@abc.ne.jp」の文字データが記憶される。
【００４１】
Ｉ／Ｆ部１８は、ナビゲーション装置１と携帯端末２０を接続するためのインターフェイスであり、デジタル信号とアナログ信号との変換を行うための変復調機能を有する。また、Ｉ／Ｆ部１８は、携帯端末２０が接続されると、接続の開始を示す信号をＣＰＵ１０に出力する。あるいは、ＣＰＵ１０から、一定時間毎に携帯端末２０との接続状態を判断するための信号が入力されると、携帯端末２０が接続されている場合に、接続していることを示す信号をＣＰＵ１０に出力する。
【００４２】
携帯端末２０は、例えば、携帯電話やＰＨＳ、あるいは通信機能を内蔵した携帯情報端末であり、無線基地局との間で無線通信回線を確立して、無線信号の送受信を行う。具体的には、ユーザにより入力部を介して、送信先の電話番号が指定され通話指示が入力されると、指定された電話番号に電話をかける。あるいは、無線基地局から着信信号を受信すると着信をユーザに報知して、通話指示が入力されると着信電話の応答を行う。この携帯端末２０は、Ｉ／Ｆ部１８を介してナビゲーション装置１に接続することにより、ナビゲーション装置１に付属されているマイク、スピーカ（図示せず）を利用して、ハンズフリー通話を行うことができる。
【００４３】
また、携帯端末２０は、Ｉ／Ｆ部１８を介してナビゲーション装置１に接続されると、機種名、及び携帯端末番号を識別情報としてナビゲーション装置１に出力する。さらに、携帯端末２０は、電話帳情報やメールアドレス情報が記憶されている記憶部を有し、ナビゲーション装置１からの要求に応じて、これらの情報をナビゲーション装置１に出力する。
【００４４】
次に、本実施の形態の動作を説明する。
図３は、ナビゲーション装置１のＣＰＵ１０によって実行される自動ダウンロード処理を示すフローチャートである。
【００４５】
図３において、ＣＰＵ１０は、携帯端末２０の接続を待機し（ステップＳ１１）、携帯端末２０が接続されたか否かを判断する。Ｉ／Ｆ部１８から、携帯端末２０の接続が開始したことを示す信号が入力されると（ステップＳ１２；ＹＥＳ）、ＣＰＵ１０は、自動ダウンロードの設定がオンであるか否かを判断する。自動ダウンロードの設定がオフの場合（ステップＳ１３；ＮＯ）、本自動ダウンロード処理を終了する。また、自動ダウンロードの設定がオンの場合（ステップＳ１３；ＹＥＳ）、ＣＰＵ１０１は、携帯端末２０から識別情報として携帯端末２０の機種名、及び携帯端末番号を取得する（ステップＳ１４）。
【００４６】
次いで、ＣＰＵ１０は、記憶装置１７内のメモリ情報ファイル１７１に記憶されている機種名、及び携帯端末番号を識別情報として取得し、両者の識別情報を比較して、接続された携帯端末２０と、メモリ情報ファイル１７１にメモリ情報が記憶されている携帯端末が同一のものであるか否かを判断する（ステップＳ１５）。
【００４７】
識別情報が一致した場合（ステップＳ１６；ＹＥＳ）、ＣＰＵ１０は、接続された携帯端末２０とメモリ情報ファイル１７１にメモリ情報が記憶されている携帯端末２０は同一のものであると判断して、ダウンロードを行わずに、本自動ダウンロード処理を終了する。
【００４８】
一方、識別情報が一致しない場合（ステップＳ１６；ＮＯ）、接続された携帯端末２０とメモリ情報ファイル１７１にメモリ情報が記憶されている携帯端末２０は異なるものと判断して、メモリ情報ファイル１７１に記憶されているメモリ情報を消去して（ステップＳ１７）、携帯端末２０の記憶部に記憶されている新規のメモリ情報のダウンロードを開始する（ステップＳ１８）。なお、メモリ情報ファイル１７１にメモリ情報が記憶されていない場合、ＣＰＵ１０は、識別情報の比較を行わずに、新規のメモリ情報のダウンロードを開始する（ステップＳ１８）。
【００４９】
続いて、ＣＰＵ１０は、ダウンロードの実行中に携帯端末２０の接続が解除されたか否かを判断する。ここで、ＣＰＵ１０は、接続状態メモリ１４ａから接続履歴データを取得するとともに、Ｉ／Ｆ部１８に携帯端末２０の接続を確認するための信号を出力する。次いで、接続履歴データから直前の携帯端末２０の接続が確認され、かつ応答信号の入力が受信される場合、携帯端末２０が継続して接続されていると判断して（ステップＳ１９；ＮＯ）、ダウンロードが終了しているか否かを判断する。そして、ダウンロードが終了していない場合は（ステップＳ２１；ＮＯ）、ダウンロードを続行し、ダウンロードが終了した場合は（ステップＳ２１；ＹＥＳ）、本自動ダウンロード処理を終了する。
【００５０】
一方、接続履歴データから直前の携帯端末２０の接続が確認され、かつＩ／Ｆ部１８から応答信号が入力されない場合、ＣＰＵ１０は、携帯端末２０の接続が解除されたと判断して（ステップＳ１９；ＹＥＳ）、ダウンロードが終了しているか否かを判断する。次いで、ダウンロードが終了していない場合は（ステップＳ２０；ＮＯ）、メモリ情報ファイル１７１にすでに記憶された一部のメモリ情報を消去して（ステップＳ２２）、本ダウンロード処理を終了する。また、ダウンロードが終了している場合は、メモリ情報ファイル１７１に記憶されたメモリ情報を保持したまま、本自動ダウンロード処理を終了する。
【００５１】
以上のように、本発明の実施の形態によれば、ナビゲーション装置１に携帯端末２０が接続された際、自動ダウンロードの設定がオンの場合、ナビゲーション装置１に記憶されているメモリ情報ファイル１７１の識別情報と、携帯端末２０の識別情報とを取得して比較し、携帯端末の識別情報が一致しない場合は、すでにメモリ情報ファイル１７１に記憶されているメモリ情報を消去して、携帯端末２０に記憶されているメモリ情報をナビゲーション装置１にダウンロードする。また、自動ダウンロードの設定がオフの場合、あるいは、識別情報が一致する場合は、携帯端末２０に記憶されているメモリ情報のダウンロードを行わない。
【００５２】
したがって、ナビゲーション装置１に携帯端末２０を接続するだけで、携帯端末２０に記憶されているメモリ情報が自動的にダウンロードされるため、ユーザは、面倒な操作が必要なく、手間及び時間を省ける。また、すでにナビゲーション装置１に携帯端末２０のメモリ情報が記憶されている場合には、ダウンロードを行わない構成としたので、メモリ情報の再登録等の不必要なダウンロードが実行されずに、車載バッテリーを節約できる。
【００５３】
さらに、ナビゲーション装置がダウンロードを行っている最中に携帯端末２０の接続が解除された場合には、記憶されたメモリ情報を消去する構成したので、再度、携帯端末２０が接続された際に識別情報を取得して比較を行う必要がない。したがって、ダウンロードの開始が早く、所用時間を短縮できる。また、ダウンロードが完了しなかったメモリ情報を消去することにより、記憶装置１７の記憶容量を節約できる。
【００５４】
なお、本発明の実施の形態において、ナビゲーション装置１に接続された携帯端末２０の識別情報と、メモリ情報ファイル１７１に記憶されている携帯端末の識別情報とが同一の場合は、ダウンロードを行わない構成としたが、携帯端末２０に記憶されているメモリ情報に変更や追加があった場合は、必要に応じて、ユーザの操作によりダウンロードを実行させることができる。ユーザの操作によるダウンロードの処理は、上述した従来のダウンロード処理と同様の処理によって実行されるので、詳細な説明は省略する。
【００５５】
また、本実施の形態における記述は、本発明にかかる好適なナビゲーション装置の一例であり、これに限定されるものではない。例えば、車載機器は、ナビゲーション装置に限らず、車載用オーディオ装置、あるいは車載用コンピュータに本発明を実行可能なプログラムを備える構成であってもよい。
【００５６】
さらに、本実施の形態においては、機種名、及び携帯端末番号を識別情報として比較する構成としたが、例えば、メモリ情報の件数を識別情報としてさらに取得する構成とし、機種名、及び携帯端末番号が同一の場合でも、メモリ情報の件数が異なる場合は、ダウンロードを行う構成としてもよい。なお、メモリ情報の件数とは、例えば、メモリ情報に記憶されている氏名の数である。これにより、接続された携帯端末２０と、メモリ情報ファイル１７１にメモリ情報が記憶されている携帯端末が同一の場合であっても、メモリ情報に変更があった場合は、自動的にメモリ情報のダウンロードを行うことができる。したがって、追加のあったメモリ情報をダウンロードする際に、ユーザの手動操作が不要となる。
【００５７】
【発明の効果】
請求項１記載の発明の車載機器によれば、ユーザは、車載機器に携帯端末を接続するだけで、携帯端末に記憶されているメモリ情報を自動的に車載機器に記憶させることができる。したがって、メモリ情報を車載機器に記憶させるための煩雑な操作をなくし、ユーザの手間及び時間を省くことができる。
【００５８】
また、同じ携帯端末のメモリ情報がすでに車載機器に記憶されている場合は、メモリ情報の取得を行わないので、同じ携帯端末のメモリ情報を再度記憶する等の不必要な処理を行うことがなく、車載バッテリーを節約できる。
【００５９】
請求項２記載の発明の車載機器によれば、請求項１記載の発明の効果に加えて、車載機器に接続された携帯端末と、メモリ情報記憶手段にメモリ情報が記憶された携帯端末とを識別する際に、容易に携帯端末の識別が行うことができる。
【００６０】
請求項３記載の発明の車載機器によれば、請求項１記載の発明の効果に加えて、記憶途中のメモリ情報をそのまま保持することなく、メモリ情報記憶手段の記憶容量を節約できる。
請求項４記載の発明の携帯端末接続方法によれば、ユーザは、車載機器に携帯端末を接続するだけで、携帯端末に記憶されているメモリ情報を自動的に車載機器に記憶させることができる。したがって、メモリ情報を車載機器に記憶させるための煩雑な操作をなくし、ユーザの手間及び時間を省くことができる。また、同じ携帯端末のメモリ情報がすでに車載機器に記憶されている場合は、メモリ情報の取得を行わないので、同じ携帯端末のメモリ情報を再度記憶する等の不必要な処理を行うことがなく、車載バッテリーを節約できる。
【図面の簡単な説明】
【図１】本発明を適用した実施の形態のナビゲーション装置１の構成を示すブロック図である。
【図２】図１の記憶装置１７に形成されるメモリ情報ファイル１７１の格納例を示す図である。
【図３】図１のＣＰＵ１０によって実行される自動ダウンロード処理を示すフローチャートである。
【図４】従来のナビゲーション装置によって実行されるダウンロード処理を示すフローチャートである。
【符号の説明】
１    ナビゲーション装置
１０    ＣＰＵ
１１    ＧＰＳアンテナ
１２    自律航法ユニット
１３    音声制御部
１４    メモリ
１５    入力部
１６    表示部
１７    記憶装置
１８    Ｉ／Ｆ部
２０    携帯端末
【図１】
0003806605.tif 000002
【図２】
0003806605.tif 000003
【図３】
0003806605.tif 000004
【図４】
0003806605.tif 000005